(57)【要約】      （修正有）【課題】内部に横設された多数の火口が並設されたバーナーを備えたガスコンロにおける圧電点火機構の点火効率を高めたガスコンロを提供する。【解決手段】内部に横設された多数の火口３ａが並設されたバーナー３を備えたガスコンロにおいて、点火プラグ４の先端の放電電極４ａ近傍の火口の直近上部に、耐火性のメッシュ板５を配設してなるガスコンロの点火機構による。【選択図】図１
2015105770.tif 000002
【特許請求の範囲】
【請求項１】
内部に横設された多数の火口（３ａ）が並設されたバーナー（３）を備えたガスコンロの点火機構であって、点火プラグ（４）先端の放電電極（４ａ）近傍の前記バーナー（３）の火口（３ａ）の直近上部に耐火性ッシュ板（５）を配設してなることを特徴とするガスコンロの点火機構。
【請求項２】
前方にコの字状の切り欠き部を有する半丸樋形状体であり、そのコの字状切り欠き部に耐火性メッシュ板（５）が張設されて構成された耐火メッシュ板ユニット（１）の前記耐火性メッシュ板（５）が、点火プラグ（４）先端の放電電極（４ａ）近傍のバーナー（３）の火口（３ａ）直近上部に位置するよう配設されてなることを特徴とする請求項１に記載のガスコンロの点火機構。
【請求項３】
前記耐火メッシュ板ユニット（１）が、バーナー（３）上に点火プラグ（４）を装着するための点火プラグ装着板（２）の先端部に一体として形成されてなることを特徴とする請求項２に記載のガスコンロの点火機構。
【請求項４】
点火プラグ（４）先端の放電電極（４ａ）近傍のバーナー（３）の火口（３ａ）直近上部への耐火性メッシュ板（５）の配設が、点火プラグ（４）の放電電極（４ａ）近傍に位置するバーナー（３）に所定幅の耐火性メッシュ板（５）を捲回固着してなることを特徴とする請求項１に記載のガスコンロの点火機構。
【請求項５】
点火プラグ（４）先端の放電電極（４ａ）近傍のバーナー（３）の火口（３ａ）直近上部への耐火性メッシュ板（４）の配設が、点火プラグ（３）の放電電極（３ａ）近傍に位置するバーナー（２）に、所定幅の耐火性メッシュ板（５）を弾性を有するバンド（６）で固着してなることを特徴とする請求項１に記載のガスコンロの点火機構。
【請求項６】
耐火性メッシュ板（５）が、ステンレス製であることを特徴とする請求項１〜５のいずれか１項に記載のガスコンロの点火機構。
【発明の詳細な説明】
【技術分野】
【０００１】
圧電点火機構を備えたガスコンロの改善に関する。
【背景技術】
【０００２】
本発明者は先に実用新案登録第３１７８０４３号（特許文献１）において、
「コンロ内に延伸させて設けられたバーナーのガス供給部側の端部近傍上面に、圧電点火機構の点火プラグを装着する点火プラグ装着板が、溶接等で固着されてなり、点火プラグとバーナーの火口との位置関係を固定することにより、安定、確実な点火を可能にし、かつ、コンロの燃焼室とガス供給部とを隔離する隔離板に、点火プラグ装着板を介して点火プラグが固着されたバーナーを挿入する下部が円弧の凸字形状の開口を穿って円筒形バーナーの軸回りの回転を抑制して燃焼室内の火力分布を安定に保持してなる圧電点火機構を備えたコンロ」の発明を開示した。
しかし、上記発明のコンロにおいて、点火プラグとバーナーの火口との位置関係を製造時に最適に設定するのは容易でなく、僅かな位置ずれの存在によって一度の点火操作では点火しないという危惧が多少残されていた。
【先行技術文献】
【特許文献】
【０００３】
【特許文献１】実用新案登録第３１７８０４３号公報
【発明の概要】
【発明が解決しようとする課題】
【０００４】
本発明は、上記危惧を払拭し、一度の点火操作によって確実に点火するカセットコンロの圧電点火機構を提供しようとするものである。
【課題を解決するための手段】
【０００５】
本発明者は上記課題を下記の手段により解決した。
（１）内部に横設された多数の火口が並設されたバーナーを備えたガスコンロにおいて、点火プラグ先端の放電電極近傍の前記火口の直近上部に耐火性ッシュ板を配設してなることを特徴とするガスコンロの点火機構。
（２）前方にコの字状の切り欠き部を有する半丸樋状態であり、そのコの字状切り欠き部に耐火性メッシュ板が張設されて構成された耐火メッシュ板ユニットの前記耐火性メッシュ板が、点火プラグ先端の放電電極の近傍のバーナーの火口直近上部に位置するように配設されてなることを特徴とする（１）に記載のガスコンロの点火機構。
（３）前記耐火メッシュ板ユニットが、バーナー上に点火プラグを装着するための点火プラグ装着板の先端部に一体として形成されてなることを特徴とする（２）に記載のガスコンロの点火機構。
（４）点火プラグ先端の放電電極近傍のバーナーの火口直近上部への耐火性メッシュ板の配設が、点火プラグの放電電極近傍に位置するバーナーに所定幅の耐火性メッシュ板を捲回固着してなることを特徴とする（１）に記載のガスコンロの点火機構。
（５）点火プラグ先端の放電電極近傍のバーナーの火口直近上部への耐火性メッシュ板の配設が、点火プラグの放電電極近傍に位置するバーナーに、所定幅の耐火性メッシュ板を弾性を有するバンドで固着してなることを特徴とする（１）に記載のガスコンロの点火機構。
（６）耐火性メッシュ板が、ステンレス製であることを特徴とする（１）〜（５）のいずれか１に記載のガスコンロの点火機構。
【発明の効果】
【０００６】
本発明のガスコンロの点火機構によって下記の効果が発揮できる。
〈１〉内部に横設された多数の火口が並設されたバーナーを備えたガスコンロの点火機構であって、点火プラグ先端の放電電極近傍の前記火口の直近上部に耐火性ッシュ板を配設しているので、バーナーの火口から放出されるガスが耐火性メッシュ板を通過する際に拡散されるため、点火プラグとバーナーの火口との位置関係が適正値から多少ずれていても確実に点火できる。
〈２〉前方にコの字状の切り欠き部を有する半丸樋形状体であり、そのコの字状切り欠き部に耐火性メッシュ板が張設されて構成された耐火メッシュ板ユニットの前記耐火性メッシュ板が、点火プラグ先端の放電電極の近傍のバーナーの火口直近上部に位置するように配設されているので、上記〈１〉に記載の効果が発揮でき、そして前記耐火メッシュ板ユニットを、バーナー上に点火プラグを装着するための点火プラグ装着板の先端部に一体として形成すれば、バーナー上に耐火性メッシュ板ユニットと点火プラグ装着板とを同時に装着でき、かつ耐火性メッシュと点火プラグの位置関係もあらかじめ設定しておけるので製造が容易で一度の点火操作で点火できるガスコンロが提供できる。
〈３〉点火プラグ先端の放電電極近傍の火口直近上部への耐火性メッシュ板の配設が、点火プラグの放電電極近傍に位置するバーナーに所定幅の耐火性メッシュ板を捲回固着し、又は弾性を有するバンドで固着することで行えるので、いずれも簡便な製造手段によって一度の点火操作で点火できるガスコンロが提供できる。
【図面の簡単な説明】
【０００７】
【図１】先端部に耐火性メッシュ板をスポット溶接した点火プラグ装着板の斜視図（ａ）、及び同点火プラグ装着板をバーナーに熔着した状態を示す斜視図（ｂ）
【図２】バーナーに所定幅の耐火性メッシュ板を捲回固着した状態を示す斜視図
【図３】バーナーに所定幅の耐火性メッシュ板を弾性を有するバンドで固着した状態を示す斜視図
【発明を実施するための形態】
【０００８】
本発明のガスコンロの点火機構を実施するための形態を、実施例の図に基づいて説明する。
図１は先端部に耐火性メッシュ板ユニットを一体形成してなる点火プラグ装着板の斜視図（ａ）、及び同点火プラグ装着板をバーナーに熔着した状態を示す斜視図（ｂ）、図２はバーナーに所定幅の耐火性メッシュ板を捲回固着した点火機構の斜視図、図３はバーナーに所定幅の耐火性メッシュ板を弾性を有するバンドで固着した点火機構の斜視図である。
図において１は耐火性メッシュ板ユニット、２は点火プラグ装着板、２ａはバーナーへの固着部、２ｂは点火プラグ装着部、３はバーナー、３ａは火口、４は点火プラグ、４ａは放電電極、４ｂは絶縁碍子、４ｃは止め金、４ｄは被覆電線、５は耐火性メッシュ板、５は弾性を有するバンドを示す。
【実施例１】
【０００９】
本実施例のガスコンロの点火機構は、図１（ｂ）に示すように前方にコの字状の切り欠き部を有する半丸樋状態であり、そのコの字状切り欠き部に耐火性メッシュ板５が張設されて構成された耐火メッシュ板ユニット１の前記耐火性メッシュ板５が、点火プラグ４先端の放電電極４ａの近傍のバーナー３の火口３ａ直近上部に位置するように配設されてなるものであって、  図１（ａ）に示すように、前記耐火メッシュ板ユニット１が、バーナー３上に点火プラグ４を装着するための点火プラグ装着板２の先端部に一体として形成されいるので、耐火メッシュ板５点火プラグ４の放電電極４ａとの位置関係はあらかじめ設計段階で確認されており、その後のバーナーへの熔着作業、及び点火プラグ装着板２への点火プラグ３の装着が容易となる。
耐火性メッシュ板５としてはステンレス製のものが好ましく、前記耐火性メッシュ板ユニット１にスポット溶接で張設される。
【実施例２】
【００１０】
本実施例のガスコンロの点火機構は、点火プラグ４先端の放電電極４ａ近傍のバーナー３の火口３ａの直近上部への耐火性メッシュ板５の配設が、図２に示すように、バーナー３の火口３ａ複数個を覆うように所定幅の耐火性メッシュ板５を捲回固着した後、圧電式点火プラグ４の放電電極４ａの先端を前記耐火性メッシュ板５で覆われた火口３ａの一つに接近させて配設されるよう点火プラグ装着板２をバーナー３上に熔着し、該点火プラグ装着板２上に点火プラグ４を装着したものである。
本実施例のガスコンロの点火機構では、特許文献１に記載した発明の点火プラグ装着板２がそのまま使用されており、すでに実用されている特許文献１に記載の「圧電点火機構を備えたコンロ」の点火機構の改修をも容易になし得るものとなっている。
【実施例３】
【００１１】
本実施例のガスコンロの点火機構は、点火プラグ４先端の放電電極４ａ近傍のバーナー３の火口３ａの直近上部への耐火性メッシュ板５の配設が、図３に示すように、バーナー３の火口３ａ複数個を覆うように所定幅の耐火メッシュ板５を配設し、その両端を弾性を有するバンド６によってバーナー３に固定した後点火プラグ４の放電電極４ａの先端を前記耐火性メッシュ板５で覆われた火口３ａの一つに接近させて配設されるよう点火プラグ装着板２をバーナー上に熔着したものである。
本実施例３においても、実施例２と同様に特許文献１に記載した発明の点火プラグ装着板２がそのまま使用されており、すでに実用されている特許文献１に記載の「圧電点火機構を備えたコンロ」の点火機構の改修をもより容易になし得るものとなっている。
【符号の説明】
【００１２】
１：耐火性メッシュ板ユニット
２：点火プラグ装着板
２ａバーナーへの固着部
２ｂ：点火プラグ装着部
３：バーナー
３ａ：火口
４：点火プラグ
４ａ：放電電極
４ｂ：絶縁碍子
４ｃ：止め金
４ｄ：被覆電線
５：耐火性メッシュ板
６：弾性を有するバンド
【図１】
2015105770.tif 000003
【図２】
2015105770.tif 000004
【図３】
2015105770.tif 000005